(57)【要約】【課題】正常状態において過昇温防止部材が作動する温度に対して十分なマージンを確保しつつ、異常発生時には過昇温防止部材が応答性良く動作して電源への通電を素早く遮断することができる定着装置を提供すること。【解決手段】内部に配されたハロゲンヒータ（熱源）３４によって加熱される定着ローラ２８と、該定着ローラ２８の表面から離間した位置に配置された過昇温防止部材３６を備えた定着装置４において、電源投入後の経過時間に基づいて前記過昇温防止部材３６の前記定着ローラ２８表面からの位置を変化させ、経過時間が長い程、過昇温防止部材３６を定着ローラ２８表面から遠ざける。【選択図】図３
2008076909.tif 000002
【特許請求の範囲】
【請求項１】
内部に配された熱源によって加熱される定着ローラと、該定着ローラの表面から離間した位置に配置された過昇温防止部材を備えた定着装置において、
電源投入後の経過時間に基づいて前記過昇温防止部材の前記定着ローラ表面からの位置を変化させ、経過時間が長い程、過昇温防止部材を定着ローラ表面から遠ざけることを特徴とする定着装置。
【請求項２】
前記過昇温防止部材の位置として前記定着ローラ表面に近接する第１の位置と該第１の位置よりも定着ローラ表面から遠い第２の位置を設定し、電源投入後の経過時間が所定値未満であるときには過昇温防止部材を前記第１の位置に配置し、経過時間が所定値以上であるときには過昇温防止部材を前記第２の位置に配置することを特徴とする請求項１記載の定着装置。
【請求項３】
電源投入後の経過時間が所定値未満であっても、定着ローラの温度が所定値以上であるときには前記過昇温防止部材を前記第２の位置に配置することを特徴とする請求項２記載の定着装置。
【請求項４】
潜像を形成する像担持体と、該像担持体上に形成された潜像をトナー像として現像する現像手段と、前記像担持体上のトナー像を転写材上に転写する転写手段と、該転写手段によって転写材上に転写されたトナー像を加熱及び加圧して定着させる定着手段を備えた画像形成装置において、
前記定着手段を請求項１〜３の何れかに記載の定着装置で構成したことを特徴とする画像形成装置。
【発明の詳細な説明】
【技術分野】
【０００１】
本発明は、転写材に転写されたトナー像を定着するための定着装置とこれを備えた画像形成装置に関するものである。
【背景技術】
【０００２】
電子写真方式を採用する複写機やプリンタ、ファクシミリ装置等の画像形成装置には、用紙等の転写材上に転写されたトナー像を定着するための定着装置が備えられている。
【０００３】
この種の定着装置には、内部に配された熱源によって加熱される定着ローラが備えられているが、定着ローラの表面温度は定着に最適な値に制御されている。具体的には、定着ローラの表面温度がサーミスタ等の温度検知手段によって検知され、この温度検知手段によって検知された定着ローラの表面温度に基づいて熱源への通電が制御手段によってフィードバック制御され、これによって定着ローラの表面温度が定着に最適な値に保持されている。
【０００４】
ところで、定着装置には、温度検知手段や制御手段の不具合等によって熱源への通電が適正に制御されないために定着ローラが過昇温状態に至ることがあり、このような事態の発生を防ぐための安全装置としてサーマルプロテクタや温度ヒューズ等の過昇温防止部材が設けられている。この過昇温防止部材は、定着ローラが過昇温状態に至ると熱源への通電を遮断するものであって、これには定着ローラの表面温度が所定温度に達して熱源への通電を遮断するまでの熱応答時間が短いことが要求される。
【０００５】
而して、過昇温防止部材には、定着ローラに接触する接触タイプと定着ローラ表面から離れた位置に設置される非接触タイプがある。
【０００６】
非接触タイプの過昇温防止部材は、定着ローラ表面から離れているため、その感熱部と定着ローラ表面との間に温度勾配が生じ、両者の温度差は、電源投入直後には大きく、安定状態放置及び連続通紙時には小さくなる。このため、安定状態放置や連続通紙時に異常が発生した場合には、比較的早く過昇温防止部材を作動させて熱源への通電を素早く遮断することができるが、電源投入直後等のように定着ローラが十分温まっていないときに異常が発生すると、過昇温防止部材が作動するまでに時間が掛かり、熱源への通電の遮断に遅れが生じて発煙や異臭を放つ可能性がある。
【０００７】
又、熱源が暴走する一因としての温度検知手段や制御手段の不具合が発生する可能性が高いのも電源投入直後であり、更に、ヒータ線の短絡による熱源の暴走も殆どは電源投入直後に発生する。
【０００８】
そこで、特許文献１には、定着ローラの過昇温防止のための安全装置の位置（定着ローラとの距離）を定着ローラの動作時と停止時とで異ならせ、更に定着ローラの停止時には安全装置を定着ローラに当接させるという提案がなされている。
【特許文献１】特開平４−１６３５７１号公報
【発明の開示】
【発明が解決しようとする課題】
【０００９】
しかしながら、特許文献１においてなされた提案は、機械履歴、つまり電源投入直後であるか電源投入後長時間が経過したか否か等が加味されておらず、前記問題を解決するには至っていない。
【００１０】
本発明は上記問題に鑑みてなされたもので、その目的とする処は、正常状態において過昇温防止部材が作動する温度に対して十分なマージンを確保しつつ、異常発生時には過昇温防止部材が応答性良く動作して電源への通電を素早く遮断することができる定着装置及びこれを備えた画像形成装置を提供することにある。
【課題を解決するための手段】
【００１１】
上記目的を達成するため、請求項１記載の発明は、内部に配された熱源によって加熱される定着ローラと、該定着ローラの表面から離間した位置に配置された過昇温防止部材を備えた定着装置において、電源投入後の経過時間に基づいて前記過昇温防止部材の前記定着ローラ表面からの位置を変化させ、経過時間が長い程、過昇温防止部材を定着ローラ表面から遠ざけることを特徴とする。
【００１２】
請求項２記載の発明は、請求項１記載の発明において、前記過昇温防止部材の位置として前記定着ローラ表面に近接する第１の位置と該第１の位置よりも定着ローラ表面から遠い第２の位置を設定し、電源投入後の経過時間が所定値未満であるときには過昇温防止部材を前記第１の位置に配置し、経過時間が所定値以上であるときには過昇温防止部材を前記第２の位置に配置することを特徴とする。
【００１３】
請求項３記載の発明は、請求項２記載の発明において、電源投入後の経過時間が所定値未満であっても、定着ローラの温度が所定値以上であるときには前記過昇温防止部材を前記第２の位置に配置することを特徴とする。
【００１４】
請求項４記載の発明は、潜像を形成する像担持体と、該像担持体上に形成された潜像をトナー像として現像する現像手段と、前記像担持体上のトナー像を転写材上に転写する転写手段と、該転写手段によって転写材上に転写されたトナー像を加熱及び加圧して定着させる定着手段を備えた画像形成装置において、前記定着手段を請求項１〜３の何れかに記載の定着装置で構成したことを特徴とする。
【発明の効果】
【００１５】
請求項１記載の発明によれば、熱源の暴走が発生し易い電源投入直後には、過昇温防止部材を定着ローラ表面に近づけるようにしたため、異常発生時には過昇温防止部材が応答性良く動作して熱源への通電を素早く遮断することができ、定着ローラの過昇温による発煙や異臭の発生等を確実に防ぐことができる。
【００１６】
又、電源投入後長時間が経過して定着ローラが十分温められて制御温度（飽和温度）に達しているときには、過昇温防止部材を定着ローラ表面から遠ざけるようにしたため、正常状態において過昇温防止部材が作動する温度に対して十分なマージンを確保することができ、正常であるにも拘らず過昇温防止部材が誤作動して熱源への通電を遮断するという不具合の発生が防がれる。そして、この場合も異常発生時には過昇温防止部材が応答性良く動作して熱源への通電を素早く遮断する。
【００１７】
請求項２記載の発明によれば、電源投入後の経過時間に基づいて過昇温防止部材の位置を定着ローラに近い第１の位置と定着ローラから遠い第２の位置との間で切り替えるようにしたため、電源投入から所定時間が経過しないまでの間に異常が発生したときには、定着ローラに近い第１の位置にある過昇温防止部材が応答性良く動作して電源への通電を素早く遮断することができ、電源投入から所定時間が経過した状態においては、定着ローラから離れた第２の位置にある過昇温防止部材の作動温度に対して十分なマージンを確保することができ、正常であるにも拘らず過昇温防止部材が誤作動して熱源への通電を遮断するという不具合の発生を防ぐことができる。
【００１８】
請求項３記載の発明によれば、電源のＯＮ／ＯＦＦが繰り返されたために、電源投入時（電源ＯＮ時）に定着ローラの温度が既に十分温められている場合には、過昇温防止部材を定着ローラから遠い第２の位置に配置するようにしたため、電源を投入して間もなく過昇温防止部材が誤作動し、正常状態であるにも拘らず熱源への通電が遮断されてしまうという不具合の発生を防ぐことができる。
【００１９】
請求項５記載の発明によれば、定着装置を備えた画像形成装置において、請求項１〜３記載の発明の効果を得ることができ、転写材上に転写されたトナー像を安定的に定着させて高質画像を得ることができる。
【発明を実施するための最良の形態】
【００２０】
以下に本発明の実施の形態を添付図面に基づいて説明する。
【００２１】
［画像形成装置］
図１は本発明に係る画像形成装置の一形態としてのレーザビームプリンタ１の正断面図であり、該レーザビームプリンタ１は、装置本体１ａ内に設けられた搬送路Ｌに沿って転写材である用紙を搬送しながら、不図示の端末等から送信される画像データに基づいて用紙に画像を形成するものであって、前記搬送路Ｌは、装置本体１ａ内を前方から後方（図１において右方から左方）に略水平に延びる水平部Ｌ１と、該水平部Ｌ１の端部から略垂直に立ち上がる垂直部Ｌ２とで側面視略Ｌ字状に構成されている。
【００２２】
又、レーザビームプリンタ１は、装置本体１ａの下部に設けられた給紙部２と、該給紙部２の上方の装置本体１ａ内の略中央部に設けられた画像形成部３と、該画像形成部３の後方に配された定着装置４と、該定着装置４の上方の装置本体１ａの上面に設けられた凹状の排紙部５と、前記搬送路Ｌの水平部Ｌ１と給紙カセット７との間に設けられたスイッチバック部６を備えている。
【００２３】
上記給紙部２は、用紙を収納するとともに、その用紙を前記画像形成部３に向けて給送するものであって、前記給紙カセット７と前記手差しトレイ８を含んで構成されている。
【００２４】
ここで、給紙カセット７は、上面が開放された矩形箱状を成すものであって、その内部に積層して収容された不図示の用紙を１枚ずつ送り出す機能を果たし、これが図１に示すように装置本体１ａ内に装着されている状態では、図示のように搬送路Ｌの水平部Ｌ１の下方に位置している。
【００２５】
この給紙カセット７は、内底面に対して接離するリフト板９と、該リフト板９の接離動作に連動して昇降する昇降板１０と、前記リフト板９の前端（用紙の送出方向下流端）近傍に取り付けられて該リフト板９を図１の矢印方向に回動させるリフト駆動軸１１と、前記昇降板１０の後端（用紙の送出方向上流端）近傍を回動可能に軸支する軸１２を備えている。
【００２６】
又、給紙部２には、給紙カセット７内の用紙を１枚ずつ取り出すピックアップローラ１３と、取り出された用紙を搬送路Ｌの水平部Ｌ１へと送り出すフィードローラ１４とリタードローラ１５、複数の給紙ローラ１６，１７，１８、送り出された用紙を一時待機させた後に所定のタイミングで画像形成部３へと供給するレジストローラ１９の他、手差しトレイ８に載置された用紙を取り出すピックアップローラ２０が設けられている。
【００２７】
前記画像形成部３は、給紙部２から供給された用紙に画像を形成するものであって、搬送路Ｌの水平部Ｌ１の前後方向略中央部に回転可能に配された像担持体としての感光ドラム２１と、その周囲に配置された一次帯電器２２、現像手段である現像装置２３、転写手段である転写ローラ２４及びクリーニング装置２５と、これらの上方に配置されたレーザスキャナユニット（ＬＳＵ）２６、トナーホッパー２７等を備えている。
【００２８】
又、前記定着装置４は、画像形成部３において用紙に転写されたトナー像を当該用紙に定着させるためのものであって、互いに圧接されて回転する加熱ローラ２８と加圧ローラ２９を備えている。
【００２９】
更に、前記排紙部５は、定着装置４においてトナー像が定着された用紙を装置本体１ａ外へと排出するためのものであって、搬送路Ｌの垂直部Ｌ２の途中に設けられた複数の搬送ローラ３０と垂直部Ｌ２の末端に設けられた排紙ローラ３１及び装置本体１ａ外へと排出される用紙を積載するための前記排紙トレイ３２を備えている。
【００３０】
又、前記スイッチバック部６は、用紙の両面に画像を形成する場合に使用されるものであって、搬送路Ｌの垂直部Ｌ１の下方に配された別の搬送路Ｌ’とその適所に設けられた複数の搬送ローラ３３を備えている。
【００３１】
次に、以上の構成を有するレーザビームプリンタ１の画像形成動作について説明する。
【００３２】
例えばパーソナルコンピュータ（パソコン）等の端末から当該レーザビームプリンタ１にプリント開始信号が送信されると、画像形成部３においては、感光ドラム２１は不図示の駆動手段によって図１の矢印方向（時計方向）に回転駆動され、その表面が一次帯電器２２によって所定の電位に一様に帯電される。そして、端末から送信された画像データに基づくレーザ光がレーザスキャナユニット２６から出力されて感光ドラム２１上に照射されると、該感光ドラム２１上には静電潜像が形成される。そして、この感光ドラム２１上の静電潜像は、現像装置２３によって現像剤であるトナーを用いて現像されてトナー像として可視像化される。
【００３３】
同時に給紙部５においては、例えば給紙カセット７内に収容された用紙は、ピックアップローラ１３によって最上位のものから１枚ずつピックアップされ、フィードローラ１４とリタードローラ１５及び給紙ローラ１６，１７，１８によって搬送路Ｌの水平部Ｌ１へと送り出され、レジストローラ１９によって一時待機状態とされた後、感光ドラム２１上のトナー像に同期する所定のタイミングで画像形成部３へと供給される。尚、給紙カセット７においては、リフト板９を内底面から離間する方向に回動させることによって、昇降板１０をこれに積載された用紙の枚数に応じた所定の高さ位置まで上昇させ、該昇降板１０に積載された用紙の最上位のものがピックアップローラ１３によってピックアップされるようになっている。又、手差しトレイ８に積載された用紙に画像を形成する場合には、用紙は、ピックアップローラ２０によって１枚ずつ取り出され、給紙ローラ１６，１８によって搬送路Ｌの水平部Ｌ１へと送り出される。
【００３４】
画像形成部３においては、感光ドラム２１と転写ローラ２４との間の転写ニップへと供給された用紙は、転写ローラ２４によって感光ドラム２１に押し付けられながら搬送されることによって、その表面（転写面）に感光ドラム２１上のトナー像が転写される。そして、トナー像が転写された用紙は、定着装置４へと搬送され、この定着装置４において加熱ローラ２８と加圧ローラ２９によって挟み込まれて搬送される過程で加熱及び加圧されてトナー像の定着を受ける。尚、用紙へのトナー像の転写後に感光ドラム２１の表面に残留するトナー（転写残トナー）はクリーニング装置２５によって除去される。
【００３５】
而して、定着装置４にて表面にトナー像が定着された用紙は、搬送ローラ３０によって搬送路Ｌの垂直部Ｌ２を上方へと搬送され、排紙ローラ３１によって装置本体１ａの上部に設けられた排紙トレイ３２に排出されて積載される。
【００３６】
以上が用紙の片面に画像を形成する場合の一連の動作であるが、用紙の両面に画像を形成する場合には、定着装置４にて片面にトナー像が定着された用紙を搬送ローラ３０によって搬送路Ｌの垂直部Ｌ２へと送り込んだ後、搬送ローラ３０を逆転させることによって用紙をスイッチバックさせて別の搬送路Ｌ’へと送り込む。そして、搬送路Ｌ’に設けられた複数の搬送ローラ３３によって用紙を搬送路Ｌ’に沿って前方（図１の右方）へと搬送し、該用紙を給紙ローラ１６，１７，１８によって搬送路Ｌの水平部Ｌ１に再び送り込めば、該用紙の表裏が逆転し、以後、前記と同様の動作によって感光ドラム２１上のトナー像を用紙の表面（画像が形成されていない他方の面）に転写し、そのトナー像を定着装置４において用紙に定着させれば、用紙の両面に画像が形成される。このようにして両面に画像が形成された用紙は、前記と同様に搬送ローラ３０によって搬送路Ｌの垂直部Ｌ２を上方へと搬送され、排紙ローラ３１によって排紙トレイ３２に排出される。
【００３７】
［定着装置］
次に、本発明に係る前記定着装置４の実施の形態を図２〜図５に基づいて説明する。
【００３８】
図２及び図３は本発明に係る定着装置の断面図、図４は定着ローラ温度と雰囲気温度の経時変化を示す図、図５は本発明に係る定着装置の電源投入後の制御手順を示すフローチャートである。
【００３９】
定着装置４は、図２及び図３に示すように、中空状の定着ローラ２８と、該定着ローラ２８に当接して従動回転する中空状の加圧ローラ２９を備えており、定着ローラ２８内には熱源としてのハロゲンヒータ３４が長手方向（図２及び図３の紙面垂直方向）に配されている。
【００４０】
上記定着ローラ２８は、鉄製の芯金２８ａの外表面に表面離型層２８ｂを形成して構成されている。又、前記加圧ローラ２９は、鉄製の芯金２９ａの外表面にシリコンゴム層２９ｂを形成し、その表面にＰＦＡチューブから成る表面離型層を形成して構成されている。尚、図示しないが、定着ローラ２８と加圧ローラ２９は、その長手方向両端部が回転可能に支持されており、加圧ーラ２９が一対のバネによって定着ローラ２８の外周に所定の力で押圧されることによって、該加圧ローラ２９と定着ローラ２８との間に定着ニップＮが形成されている。
【００４１】
ところで、定着ローラ２８の表面には、該定着ローラ２８の表面温度を検知するためのサーミスタ等の温度検知部材３５が当接されている。又、定着ローラ２８の近傍には、サーモプロテクタ等の過昇温防止部材３６が非接触状態で配置されている。
【００４２】
而して、本実施の形態は、電源投入後の経過時間に基づいて過昇温防止部材３６の定着ローラ２８表面からの位置を変化させ、経過時間が長い程、過昇温防止部材３６を定着ローラ２８表面から遠ざけることを特徴とする。
【００４３】
具体的には、過昇温防止部材３６の位置として、定着ローラ２８表面に近接する図２に示す第１の位置（定着ローラ２８表面との距離Ａ）と、該第１の位置よりも定着ローラ２８表面から遠い図３に示す第２の位置（定着ローラ２８表面との距離Ｂ（＞Ａ））を設定し、電源投入後の経過時間が所定値未満であるときには過昇温防止部材３６を図２に示すように第１の位置に配置し、電源投入後の経過時間が所定値以上であるときには過昇温防止部材３６を図３に示す第２の位置に配置することを特徴とする。即ち、電源投入後の経過時間の設定値を境として過昇温検知部材３６の位置を図２に示す第１の位置と図３に示す第２の位置の間で自動的に切り替えるようにしている。
【００４４】
但し、本実施の形態では、電源投入後の経過時間が所定値未満であっても、温度検知部材３５によって検知される定着ローラ２８の温度が所定値（本実施の形態では５０℃）以上であるときには過昇温防止部材３６を図３に示す第２の位置に配置するようにしている。
【００４５】
ここで、過昇温防止部材３６の位置の切り替えはカム機構３７によって行われ、このカム機構３７はステッピングモータ等のドライバ３８によって駆動され、このドライバ３８は制御手段３９によって駆動制御される。尚、
ここで、電源投入後の定着ローラ２８の温度と過昇温防止部材３６近傍の雰囲気温度の経時変化を図４に示すが、過昇温防止部材３６の位置を図２に示す第１の位置から図３に示す第２の位置に切り替える所定時間は、定着ローラ２８の温度が制御温度（フィードバック制御によってハロゲンヒータ３４への通電をＯＮ／ＯＦＦして略一定に保持される温度）に達する時間ｔ１から所定時間経過した図示の時間ｔ２に設定される。
【００４６】
次に、電源投入後の定着装置４の制御手順を図５に示すフローチャートを参照しながら以下に説明する。
【００４７】
スイッチ４０がＯＮされてレーザビームプリンタ１の電源が投入されると（図５のステップＳ１）、先ず、電源投入後の経過時間が所定値（図４に示す時間ｔ２）を経過したか否かが判断され（ステップＳ２）、経過時間が所定値未満である場合（ステップＳでの判断結果がＮＯである場合）には、温度検知部材３５によって検知された定着ローラ２８の温度（表面温度）が５０℃未満であるか否かが判断される（ステップＳ３）。
【００４８】
そして、定着ローラ２８の温度が５０℃未満である場合（ステップＳ３での判断結果がＹＥＳである場合）には、過昇温防止部材３６は図２に示す第１の位置に配置され（ステップＳ４）、定着ローラ２８の温度が５０℃以上の場合（ステップＳ３での判断結果がＮＯである場合）には、過昇温防止部材３６は図３に示す第２の位置に配置される（ステップＳ５）。つまり、電源投入後の経過時間が所定値未満であっても、定着ローラ２８の温度が５０℃以上であるときには、過昇温防止部材３６は図３に示す第２の位置に配置される。
【００４９】
他方、電源投入後の経過時間が所定値を超えると（ステップＳ２での判断結果がＹＥＳである場合）には、過昇温防止部材３６は図３に示す第２の位置に配置される（ステップＳ５）。
【００５０】
以上のように、本実施の形態においては、熱源であるハロゲンヒータ３４の暴走が発生し易い電源投入直後には、図２に示すように、過昇温防止部材３６を定着ローラ２８表面に近い第１の位置に配置して定着ローラ２８に近づけるようにしたため、異常発生時には過昇温防止部材３６が応答性良く動作してハロゲンヒータ３４への通電を素早く遮断することができ、定着ローラ２８の過昇温による発煙や異臭の発生等を確実に防ぐことができる。
【００５１】
又、電源投入後の経過時間が所定値（図４に示す時間ｔ２）を超え、定着ローラ２８が十分温められて制御温度（飽和温度）に達しているときには、図３に示すように、過昇温防止部材３６を第２の位置に配置して定着ローラ２８表面から遠ざけるようにしたため、正常状態において過昇温防止部材３６が作動する温度（異常発生時に作動する温度）に対して十分なマージンを確保することができ、正常であるにも拘らず過昇温防止部材３６が誤作動してハロゲンヒータ３４への通電を遮断するという不具合の発生が防がれる。尚、この場合も異常発生時には過昇温防止部材３６が応答性良く動作してハロゲンヒータ３４への通電を素早く遮断する。
【００５２】
又、本実施の形態では、例えば電源のＯＮ／ＯＦＦが繰り返されたために、電源投入時（電源ＯＮ時）に定着ローラ２８の温度が既に十分温められている場合には、過昇温防止部材３６を定着ローラ２８から遠い第２の位置に配置するようにしたため、電源を投入して間もなく過昇温防止部材３６が誤作動し、正常状態であるにも拘らずハロゲンヒータ３４への通電が遮断されてしまうという不具合の発生が防がれる。
【００５３】
そして、本実施の形態に係る定着装置４を備えた図１に示すレーザビームプリンタ１には、前記同様によって、用紙上に転写されたトナー像を安定的に定着させて高質画像を得ることができる。
【００５４】
ところで、本実施の形態では、過昇温防止部材３６の位置を電源投入からの経過時間に応じて２段階に切り替える構成を採用したが、過昇温防止部材３６の位置を電源投入からの経過時間に応じて多段階或は無段階に変化させる構成を採用しても良い。
【００５５】
尚、以上は本発明を特にレーザビームプリンタとこれに備えられた定着装置に適用した形態について説明したが、本発明は、プリンタの他、複写機やファクシミリ装置等の他の任意の画像形成装置及びこれに備えられた定着装置に対しても同様に適用可能であることは勿論である。
【図面の簡単な説明】
【００５６】
【図１】本発明に係る画像形成装置（レーザビームプリンタ）の正断面図である。
【図２】本発明に係る定着装置の過昇温防止部材が定着ローラに近接した位置（第１の位置）に配置されている状態を示す断面図である。
【図３】本発明に係る定着装置の過昇温防止部材が定着ローラから遠い位置（第２の位置）に配置されている状態を示す断面図である。加熱ローラ部分の斜視図である。
【図４】本発明に係る定着装置の定着ローラ温度と雰囲気温度の経時変化を示す図である。
【図５】本発明に係る定着装置の電源投入後の制御手順を示すフローチャートである。
【符号の説明】
【００５７】
１          レーザビームプリンタ（画像形成装置）
１ａ        装置本体
２          給紙部
３          画像形成部
４          定着装置
５          排紙部
６          スイッチバック部
７          給紙トレイ
８          手差しトレイ
９          リフト板
１０        昇降板
１１        リフト駆動軸
１２        軸
１３        ピックアップローラ
１４        フィードローラ
１５        リタードローラ
１６〜１８  給紙ローラ
１９        レジストローラ
２０        ピックアップローラ
２１        感光ドラム
２２        一次帯電器
２３        現像装置
２４        転写ローラ
２５        クリーニング装置
２６        レーザスキャナユニット（ＬＳＵ）
２７        トナーホッパー
２８        定着ローラ
２９        加圧ローラ
３０        搬送ローラ
３１        排紙ローラ
３２        排紙トレイ
３３        搬送ローラ
３４        ハロゲンヒータ（熱源）
３５        温度検知部材
３６        過昇温防止部材
３７        カム機構
３８        ドライバ
３９        制御手段
４０        スイッチ
【図１】
2008076909.tif 000003
【図２】
2008076909.tif 000004
【図３】
2008076909.tif 000005
【図４】
2008076909.tif 000006
【図５】
2008076909.tif 000007